(57)【要約】【課題】  遊戯設備の管理システムのコストを低減する。【解決手段】  スロットマシンなどを並べた複数の遊戯面２０Ａ〜２０Ｄのうち１つの遊戯面２０Ａにメインコントローラ４２を備え、他の遊戯面には紙幣スタッカ２７の駆動制御と回収紙幣の計数に機能限定したサブコントローラ４５Ｂ〜４５Ｄを備えて、メインコントローラで各遊戯面に配置したメダル貸出機のＩＤ番号設定を含む管理処理を行ない、メダル貸出機ごとの売上げ情報やその他のトラブル情報を集中させる。多くの遊戯面のサブコントローラ４５の機能限定により、回路基板も小型化し、また必要な電源容量も小さくなるので、全体として顕著なコスト低減をもたらし、また、各遊戯面を巡回しなくても、メインコントローラ４２を備える管理ボックス部で集中的な管理が行えるので、管理の手間も削減される。【選択図】        図４
2005073810.tif 000002
【特許請求の範囲】
【請求項１】
遊戯台を一面に複数台並べるとともに遊戯台間に所定の割合で遊戯媒体貸出機を設置し、遊戯媒体貸出機に投入された貨幣を、コントローラで駆動される貨幣スタッカへ貨幣搬送装置で回収するよう構成された遊戯面を複数配置した遊戯設備において、
前記複数の遊戯面のうち１つの遊戯面のコントローラをメインコントローラとし、前記複数のうち残余の遊戯面のコントローラをそれぞれサブコントローラとし、該サブコントローラをそれぞれ前記メインコントローラに接続して、
該メインコントローラは、前記複数の遊戯面における遊戯面構成設備のＩＤ番号設定を含む管理処理を行うことを特徴とする遊戯設備の管理システム。
【請求項２】
前記貨幣搬送装置は、遊戯台の上方の前面側に、遊戯台の配列のピッチと整合する長さを有する紙幣搬送ユニットを、遊戯台の並び方向に複数連接して構成されていることを特徴とする請求項１記載の遊戯設備の管理システム。
【発明の詳細な説明】
【技術分野】
【０００１】
本発明は、遊戯台を横に並べて形成した遊戯面を複数配置した遊戯設備の管理システムに関する。
【背景技術】
【０００２】
遊戯店ではスロットマシンやパチンコ台などの遊戯台を横方向に直線状に並べて遊戯面を形成しており、この遊戯面が多数配置されて島を構成している。遊戯面では遊戯台の間に、例えば遊戯台の２台に１台の割合で、遊戯媒体貸出機が配置され、また各遊戯面の一端には管理ボックスが設けられている。
遊戯媒体貸出機は紙幣投入により所定数の遊戯媒体、すなわち遊戯台がパチンコ台であればパチンコ玉、スロットマシンであればメダルを貸し出す。以下、パチンコ台で説明する。
【０００３】
遊戯媒体貸出機に投入された紙幣は、遊戯台の上方位置の前面側に配置され各遊戯媒体貸出機をつなぐ紙幣搬送装置により、遊戯面端部の管理ボックスへ回収される。
各管理ボックスは、コントローラと、紙幣搬送装置により搬送されてきた紙幣を整列収納する紙幣スタッカとからなっており、さらにコントローラに接続されたモニタを備えている。
同様の構成として、遊戯面の遊戯台の上方位置に紙幣搬送装置を取り付け、遊戯面一端の金庫に紙幣を搬送するものが、例えば実開平４−９０３８９号公報に開示されている。
【０００４】
図７は、従来の管理システムを示す。
島の各遊戯面６０（６０Ａ〜６０Ｄ）における隣接する所定数の遊戯媒体貸出機ごとに中継器４６が設置され、コントローラ６６（６６Ａ〜６６Ｄ）は中継器４６を介して各遊戯媒体貸出機にＩＤ（識別）番号を設定し、遊戯媒体貸出機個別の売上げ情報やパチンコ玉払出し数の情報を集約する。中継器４６は隣接する中継器４６からの情報を次の中継器４６へ転送することにより、最終的にコントローラ６６へ送る。
【０００５】
コントローラ６６は紙幣スタッカ２７の駆動制御を行うとともに、紙幣スタッカ２７に回収された紙幣の数量を計数する。また、売上げ情報と紙幣スタッカ２７に回収された紙幣の計数値とを比較して、その一致不一致の確認も行うことができる。
遊戯面６０には主設備であるパチンコ台のほか紙幣搬送装置も付設され、各設備でのトラブル情報もその発生部位が特定できるようにコントローラ６６へ送られる。
管理ボックス６５（６５Ａ〜６５Ｄ）は、それぞれコントローラ６６に集まった売上げ情報やトラブル情報など各種情報をモニタ４４に表示する。
【特許文献１】実開平４−９０３８９号公報
【発明の開示】
【発明が解決しようとする課題】
【０００６】
上述のように、紙幣搬送装置を遊戯台の上方位置の前面側に配置した遊戯設備では、遊戯面を背中合わせにした島でも１つの紙幣搬送装置を両遊戯面で共用することができないため、各遊戯媒体貸出機をつなぐ遊戯面ごとの紙幣搬送装置にそれぞれ紙幣スタッカ２７とコントローラ６６を接続させざるを得ない。そして、従来の管理システムでは、遊戯面６０ごとに上記紙幣スタッカとコントローラを備えた管理ボックス６５において、遊戯媒体貸出機のＩＤ番号設定、売上げ情報等の集計、あるいはトラブル情報等の収集を行い、また、その表示のためのモニタ４４を管理ボックス６５ごとに備える。
【０００７】
このため、多数の遊戯面のすべての管理ボックスにおいて、遊戯媒体貸出機のＩＤ番号設定、売上げ情報等の集計、その他の機能を備えるコントローラ６６と、ＩＤ番号設定等に必要な図示しないキーボード、モニタ４４とが必要で、遊戯設備全体のコストが高いという問題があった。
また、実開平４−９０３８９号公報に記載のものにおいても、遊戯面ごとに各々の金庫内で売上げ計数されることになる。
本発明は、上記従来の問題点に鑑み、遊戯店全体としてコストを低減するようにした遊戯設備の管理システムを提供することを目的としている。
【課題を解決するための手段】
【０００８】
このため、本発明は、遊戯台を一面に複数台並べるとともに遊戯台間に所定の割合で遊戯媒体貸出機を設置し、遊戯媒体貸出機に投入された貨幣を、コントローラで駆動される貨幣スタッカへ貨幣搬送装置で回収するよう構成された遊戯面を複数配置した遊戯設備において、複数の遊戯面のうち１つの遊戯面のコントローラをメインコントローラとし、上記複数のうち残余の遊戯面のコントローラをそれぞれサブコントローラとし、該サブコントローラをそれぞれメインコントローラに接続して、メインコントローラは、上記複数の遊戯面における遊戯面構成設備のＩＤ番号設定を含む管理処理を行うものとした。
【発明の効果】
【０００９】
複数の遊戯面を配置した遊戯設備において、１つの遊戯面のコントローラを、全体の遊戯面の遊戯面構成設備（例えば遊戯媒体貸出機あるいは貨幣搬送装置など）のＩＤ番号設定を含む管理処理を行うメインコントローラとし、他の遊戯面にはサブコントローラを備えるものとしたので、多数を占めるサブコントローラはその機能を貨幣スタッカの駆動制御と回収貨幣の計数に限定できるから、小型、安価な構成となり、また電源容量も小さくなるので、全体として顕著なコスト低減が得られる。
そして、店員が各遊戯面を巡回しなくても、集中的な管理が行えるので、管理の手間も削減される。
【発明を実施するための最良の形態】
【００１０】
次に、発明の実施の形態を実施例により説明する。
図１は、本発明が適用される遊戯面としてのスロットマシン列を示す斜視図である。
複数の遊戯台としてのスロットマシン２２を横方向に並べたスロットマシン列が１つの遊戯面２０Ａを形成している。横方向に並べられた各隣接するスロットマシン２２の間に、それぞれ遊戯媒体貸出機としてのメダル貸出機３０が配置されている。
【００１１】
同様のスロットマシン列が、点検開閉扉１８を挟んで反対方向にも延びて遊戯面２０Ｂを形成している。点検開閉扉１８のスペースは、島の支柱を回避するため、あるいはリフト設置のため設けられて、当該リフトの点検や修理等を行うために開閉自在となっている。
さらに、遊戯面２０Ａ、２０Ｂと背中合わせにもスロットマシン列が配置されて、図２に示すように、合計４つの遊戯面２０Ａ〜２０Ｄからなる島１０が形成されている。島１０は、遊戯面の背中合わせにより、いわゆる両面島を構成している。
なお、各遊戯面２０（２０Ａ〜２０Ｄ）はそれぞれ１５〜２０台のスロットマシン２２が並べられるが、図１には図示簡単化のため１つの遊戯面に各３台のスロットマシン２２を示してある。
【００１２】
各遊戯面２０において、貨幣搬送装置としての紙幣搬送装置２４がスロットマシン２２の上方を横に延びている。
メダル貸出機３０は、その紙幣の投入部３２が、紙幣搬送装置２４に組み込まれており、縦型の紙幣投入口３４を備える投入部カバー３３がスロットマシン２２より高い位置となっている。
投入部カバー３３の裏側には図示しない紙幣識別ユニットが格納されている。紙幣投入口３４に紙幣が投入されると、各メダル貸出機３０の紙幣識別ユニットは投入された紙幣が真正なものであるかどうかを判断し、紙幣が真正なものであるときは紙幣搬送装置２４へ送り出す。そして、その金額に対応した数のメダルが内部の図示しないメダル払出し機から払い出される。
【００１３】
紙幣搬送装置２４は、各メダル貸出機３０間のスペースに対応して設けられた紙幣搬送ユニット２５を連結して構成され、遊戯面２０の端部に設けられた管理ボックス４０内の後述する貨幣スタッカとしての紙幣スタッカに接続されて、各紙幣識別ユニットからの紙幣を紙幣スタッカへ搬送する。
紙幣搬送ユニット２５の内部構成の詳細説明は省略するが、一般の搬送機構と同様に、駆動される搬送ベルトとプーリとによって紙幣を挟時しながら搬送する。
図２に示す直線矢示は、紙幣搬送装置２４による紙幣の搬送方向を示している。
紙幣搬送装置２４を構成する紙幣搬送ユニット２５は、スロットマシン上方の取付け板の前面側に外付けで装着可能となっている。
【００１４】
図３は、紙幣搬送ユニット２５の外観を示す斜視図である。
紙幣搬送ユニット２５は紙幣識別ユニットから投入された紙幣、または隣接する紙幣搬送ユニット２５から送られてくる紙幣を紙幣スタッカ方向へ送る。図３では、紙幣は右下から左上方向へと送られる。
紙幣搬送ユニット２５は、その前面に搬送カバー２６を有している。搬送カバー２６の前面には、呼び出しランプ２３が取り付けられている。
投入部３２の投入部カバー３３はキー穴３６を備え、ここに所定のキーを差し込んで回すことにより、ロック解除して開くことができ、紙幣識別ユニットの取り出しや、搬送カバー２６を開いて紙幣搬送ユニット２５内部の修理、調整が可能となっている。
なお、メダル貸出機３０には硬貨投入口も備えられるが、硬貨関連については図示、説明を省略する。
【００１５】
各遊戯面２０Ａ〜２０Ｄの点検開閉扉１８から離れた端部に前述の管理ボックス４０（４０Ａ〜４０Ｄ）が設置され、管理ボックス４０内には紙幣搬送装置２４と接続する紙幣スタッカと後述のコントローラが収納されている。管理ボックス４０にはそれぞれその上壁にランプ４１が設けられている。
また、メダル貸出機３０の隣接する所定数例えば４台ごとに、図示しない中継器が設けられている。後述するように、各中継器は順次伝送線で接続され、コントローラも隣接する中継器に接続されている。
中継器は、紙幣識別ユニットに接続されて各メダル貸出機３０ごとの売上げ情報を伝送線へ送出する。
【００１６】
とくに図示しないが、メダル貸出機３０には投入された紙幣の詰まりを検出するセンサ、紙幣搬送ユニット２５にも紙幣の詰まりを検出するセンサが付設され、さらに、紙幣スタッカ２７内の紙幣の詰まりや満杯、その他のトラブルを検出するセンサも設けられている。
中継器は、これらのセンサで検出されたスロットマシン２２、メダル貸出機３０、紙幣搬送ユニット２５、その他の、トラブル情報も伝送線へ送出する。
【００１７】
図４は、上記種々の情報の授受管理のシステム構成を示す。
遊戯面２０Ａの管理ボックス４０Ａは、メインコントローラ（ＭＡＩＮ  Ｃ．）４２と、前述のように紙幣搬送装置２４と連結した紙幣スタッカ２７とを収納し、メインコントローラ４２に接続されたモニタ４４を備えている。
他方、残余の遊戯面２０Ｂ〜２０Ｄの管理ボックス４０Ｂ〜４０Ｄは、それぞれ紙幣スタッカ２７と、これを駆動制御するサブコントローラ（ＳＵＢ  Ｃ．）４５（４５Ｂ〜４５Ｄ）とを収納している。
なお、管理ボックス４０Ｂ〜４０Ｄの筐体は、外形寸法が同一で、互に共通部品とされている。
【００１８】
背中合わせの一方の側に並んだ遊戯面２０Ａ、２０Ｂのメインコントローラ４２とサブコントローラ４５Ｂは、それぞれ距離的に最も近い中継器４６に伝送線４７で接続され、また中継器４６も互に隣接する間で順次に伝送線４７で接続されている。背中合わせの他方の側に並んだ遊戯面２０Ｃ、２０Ｄのサブコントローラ４５Ｃ、４５Ｄおよび中継器４６も、同様に伝送線４７で接続されている。
さらに、遊戯面２０Ａのメインコントローラ４２と、背中合わせの遊戯面２０Ｃのサブコントローラ４５Ｃとが伝送線４８で接続されている。
これにより、島１０内では、管理ボックス４０Ａにメインコントローラ４２を備える遊戯面２０Ａを除くすべての遊戯面のサブコントローラ４５Ｂ〜４５Ｄが、メインコントローラ４２に接続されている。
【００１９】
各管理ボックス４０Ｂ〜４０Ｄ内において、サブコントローラ４５は紙幣スタッカ２７と接続され、紙幣スタッカ２７を駆動制御するとともに、紙幣スタッカ２７に紙幣搬送装置２４から回収された紙幣の計数データを作成する。
また、サブコントローラ４５は対応する遊戯面２０にトラブルが発生したとき、ランプ４１を点滅させる。
【００２０】
管理ボックス４０Ａ内において、メインコントローラ４２は、サブコントローラ４５と同じく、紙幣スタッカ２７と接続され、紙幣スタッカ２７を駆動制御するとともに、紙幣スタッカ２７に紙幣搬送装置２４から回収された紙幣の計数を行い、またランプ４１により遊戯面２０Ａにおけるトラブル発生を表示する。
【００２１】
メインコントローラ４２はさらに、中継器４６を介して島１０内の各遊戯面２０の個々のメダル貸出機３０（の紙幣識別ユニット）にＩＤ番号を設定し、またスロットマシン２２や紙幣搬送装置２４にも必要なＩＤ番号を設定する機能を有する。そして、各紙幣識別ユニット等へ指令を発して各メダル貸出機３０ごとの売上げ情報を求めるほか、前述のトラブル情報を受信して、すべての遊戯面における遊戯面構成設備の管理、すなわちメダル貸出機３０や紙幣搬送装置２４等の集中管理を行う。
とくに図示しないが、メインコントローラ４２はＩＤ番号設定や制御データ入力のためのキーボードを備えている。
【００２２】
サブコントローラ４５Ｂ〜４５Ｄはメインコントローラ４２からの指令を受けて、回収紙幣の計数データを直接または中継器４６を介してメインコントローラ４２へ送出する。
メインコントローラ４２はメダル貸出機３０ごとの売上げ情報をモニタ４４に表示し、また、トラブル情報をその発生箇所とともにモニタ４４に表示する。
【００２３】
本実施の形態は、以上のように構成され、４つの遊戯面２０のうち１つの遊戯面２０Ａの管理ボックス４０Ａにメインコントローラ４２を備え、他の３つの遊戯面２０Ｂ〜２０Ｄの管理ボックス４０Ｂ〜４０Ｄにはそれぞれ紙幣スタッカ２７の駆動制御と回収紙幣の計数に機能限定したサブコントローラ４５Ｂ〜４５Ｄを備えて、メインコントローラ４２によりメダル貸出機３０のＩＤ番号設定を含む管理処理を行ない、メダル貸出機３０ごとの売上げ情報やその他のトラブル情報をメインコントローラ４２に集中させるものとした。
【００２４】
これにより、従来各遊戯面ごとに必要であったＩＤ番号設定、売上げ情報の集計等の機能が１つの遊戯面に設置したメインコントローラ４２のみで済み、他の遊戯面では機能限定された安価なサブコントローラ４５を設置でき、キーボードやモニタも不要となる。多数のサブコントローラにおいてＩＤ番号設定や売上げ情報の集計等の機能が不要となることは、その制御装置を構成する回路基板も小型化し、また必要な電源容量も小さくなるので、島全体として顕著なコスト低減をもたらす。
【００２５】
そして、各遊戯面を巡回しなくても、メインコントローラ４２を備える管理ボックス部で集中的な管理が行えるので、管理の手間も削減される。
サブコントローラ４５の回路基板や電源等が小さくなるので、サブコントローラ４５を紙幣スタッカ２７とともに収納する管理ボックス４０Ｂ〜４０Ｄのサイズも小さくできる。
【００２６】
なお、実施の形態では、いくつかのサブコントローラ４５Ｄ、４５Ｂは中継器４６を介して他のサブコントローラ４５Ｃに接続し、それからメインコントローラへ、あるいは中継器４６を介してメインコントローラ４２へつながるものとしたが、中継器を介さずにメインコントローラ４２と直接接続してもよい。
ただし、サブコントローラ４５を中継器４６を介して他のサブコントローラなどに接続することにより、メインコントローラ４２への独立の伝送線を要せず、伝送線の数が少なくて済むという利点が得られる。
【００２７】
実施の形態では、遊戯面を点検開閉扉を挟んで両方向に延ばし、さらに背中合わせとした、４つの遊戯面２０Ｂ〜２０Ｄからなる１つの島について説明したが、変形例として複数の島にわたる管理システムとすることもできる。
図５はその１例を示す。
ここでは、遊戯店内の壁面５０に沿って、それぞれ１つの遊戯面２０Ａ、２０Ｂからなる２つの島１０Ａ、１０Ｂが設置され、さらにこれらの島と並列に２つの島１０Ｃ、１０Ｄが設置されている。
島１０Ｃは、背中合わせとした２つの遊戯面２０Ｃ、２０Ｅからなっており、島１０Ｄは同じく背中合わせとした２つの遊戯面２０Ｄ、２０Ｆからなっている。
【００２８】
いわゆる壁島をなす島１０Ａ、１０Ｂの対向する端部にはそれぞれ管理ボックス４０Ａ、４０Ｂが設けられている。
また、島１０Ａ、１０Ｂと並列にそれぞれ両面島をなしている２つの島１０Ｃ、１０Ｄの対向する端部には、それぞれの遊戯面に対応させて管理ボックス４０Ｃ、４０Ｅおよび４０Ｄ、４０Ｆが設けられている。
図５に示す直線矢示は紙幣の搬送方向を示している。
【００２９】
図６は、これら４つの島からなる総計６つの遊戯面２０Ａ〜２０Ｆを管理対象とするシステム構成を示す。
壁面５０に沿った１つの島１０Ａの管理ボックス４０Ａに、メインコントローラ４２と紙幣スタッカ２７を備え、他方の島１０Ｂの管理ボックス４０Ｂには、サブコントローラ４５Ｂと紙幣スタッカ２７を備える。さらに、島１０Ｃ、１０Ｄの管理ボックス４０Ｃ〜４０Ｆにはすべてサブコントローラ４５（４５Ｃ〜４５Ｆ）と紙幣スタッカ２７を備える。
【００３０】
両面島の島１０Ｃ、１０Ｄにおいては、各遊戯面２０Ｃ〜２０Ｆに備えられた中継器４６が順次に対応するサブコントローラ４５Ｃ〜４５Ｆに接続されるとともに、背中合わせの遊戯面に対応するサブコントローラ同士が接続される。さらに対向するサブコントローラ（４５Ｃ、４５Ｅ）と（４５Ｄ、４５Ｆ）間が接続される。
こうして島１０Ｃ、１０Ｄにおけるすべてのサブコントローラが伝送線４８によりメインコントローラ４２に接続される。
【００３１】
壁面に沿った島１０Ａにおいては、遊戯面２０Ａに備えられた中継器４６が順次にメインコントローラ４２に接続される。さらに同様構成の島１０Ｂのサブコントローラ４５Ｂがメインコントローラ４２に接続される。これにより、すべてのサブコントローラ４５がメインコントローラ４２に接続され、４島６遊戯面におけるＩＤ番号設定や売上げ情報の集計、トラブル情報の取得等が、実施の形態と同様に、メインコントローラ４２からの指令に基づいて集中的に行われる。そして、サブコントローラ４５の割合が多い分だけ、一層コスト低減の効果が大きい。
【００３２】
なお、実施の形態のメダル貸出機３０には紙幣投入口３４のみを示したが、貨幣としての硬貨に対応して、硬貨投入口、硬貨搬送装置、硬貨収納箱等も備えられる。また、メダル貸出機３０が受け付ける紙幣は、１種類の紙幣のみに限定されず、通常使用頻度の高い千円紙幣以外の、二千円、五千円あるいは一万円などの流通紙幣でもよい。
また、メインコントローラ４２を収める管理ボックス４０Ａの設置位置は、図２、あるいは図５に示したものに限定されず、多数のうちから任意に選定した１つの遊戯面の端部に設定すればよい。
【００３３】
なおまた、紙幣搬送装置２４は紙幣搬送ユニット２５を連結して構成するものとしたが、遊戯面２０の全体長さと略同等の長さの１本の搬送ベルトを掛け渡した構成としてもよく、図示の形態に限定されるものでない。
また、スロットマシンの遊戯店を例に説明したが、本発明はパチンコ店その他の遊戯店における島や遊戯面の管理に適用することができる。
さらに、管理の対象範囲も、実施の形態および変形例に示したものに限定されず、任意に設定することができるものである。
【図面の簡単な説明】
【００３４】
【図１】本発明の実施の形態の外観を示す斜視図である。
【図２】実施の形態を示す上面図である。
【図３】紙幣搬送ユニットまわりの外観を示す斜視図である。
【図４】管理のシステム構成を示す図である。
【図５】島形態の変形例を示す図である。
【図６】変形例における管理のシステム構成を示す図である。
【図７】従来例を示す図である。
【符号の説明】
【００３５】
１０、１０Ａ、１０Ｂ、１０Ｃ、１０Ｄ    島
１８      点検開閉扉
２０Ａ、２０Ｂ、２０Ｃ、２０Ｄ、２０Ｅ、２０Ｆ    遊戯面
２２      スロットマシン（遊戯台）
２３      呼び出しランプ
２４      紙幣搬送装置（貨幣搬送装置）
２５      紙幣搬送ユニット
２６      搬送カバー
２７      紙幣スタッカ（貨幣スタッカ）
３０      メダル貸出機（遊戯媒体貸出機）
３２      投入部
３３      投入部カバー
３４      紙幣投入口
３６      キー穴
４０Ａ、４０Ｂ、４０Ｃ、４０Ｄ、４０Ｅ、４０Ｆ    管理ボックス
４１      ランプ
４２      メインコントローラ
４４      モニタ
４５Ｂ、４５Ｃ、４５Ｄ、４５Ｅ、４５Ｆ    サブコントローラ
４６      中継器
４７、４８    伝送線
５０      壁面
【図１】
2005073810.tif 000003
【図２】
2005073810.tif 000004
【図３】
2005073810.tif 000005
【図４】
2005073810.tif 000006
【図５】
2005073810.tif 000007
【図６】
2005073810.tif 000008
【図７】
2005073810.tif 000009